(57)【要約】【課題】雨樋を所定のシート材で形成した場合に、その雨樋の取付作業を簡単、迅速に行える利便性の高い雨樋の取付構造および雨樋取付具を提供する。【解決手段】雨樋３０は、シート材１のすくなくとも片面側に、複数の係着部３１が間隔をあけて雨樋３０の長手方向に沿って並設されて雨樋取付具５０との連結面Ｆを形成した構造とされるとともに、雨樋取付具５０は、雨樋３０の連結面Ｆ側に突出された係着部３１と相互に係着する被係着部５５を備えた構造となっている。【選択図】図３
2010174472.tif 000002
【特許請求の範囲】
【請求項１】
シート材を樋形状に曲成加工してなる雨樋を、雨樋取付具を用いて壁、軒先等に固定するようにした雨樋の取付構造であって、
上記雨樋は、上記シート材のすくなくとも片面側に、複数の係着部が間隔をあけて雨樋の長手方向に沿って並設されて上記雨樋取付具との連結面を形成した構造とされるとともに、
上記雨樋取付具は、上記雨樋の連結面側に突出された係着部と相互に係着する被係着部を備えた構造としたことを特徴とする雨樋の取付構造。
【請求項２】
請求項１において、
上記雨樋の上記連結面を形成していない面には、上記連結面の複数の係着部に対応して複数の突条部が形成されている、雨樋の取付構造。
【請求項３】
請求項２において、
上記係着部と上記突条部とは、それらが一体化された棒状体よりなり、
上記シート材は、複数の上記棒状体が間隔をあけて雨樋の長手方向に並設され、屈曲可能なシート基材を介して連結、一体化されて形成された構造としている、雨樋の取付構造。
【請求項４】
請求項２または３において、
上記シート材は、上記係着部および上記突条部の一方が、シート材同士を重合連結するための係止部を構成し、他方が該係止部と相互に係止される係止受部を構成した構造としている、雨樋の取付構造。
【請求項５】
請求項１〜４のいずれかに記載された雨樋取付具。
【発明の詳細な説明】
【技術分野】
【０００１】
本発明は、雨樋の取付構造および雨樋取付具に関し、さらに具体的には、シート材を樋形状に曲成加工してなる雨樋を壁、軒先等に固定するようにした雨樋の取付構造および、その雨樋を取り付けるための雨樋取付具に関する。
【背景技術】
【０００２】
軒樋、竪樋等の雨樋は、樹脂の押出成形によって形成する方法が採られているほか、雨樋の本体が薄板状（シート状）であることから、雨樋専用のシート材を施工現場に持ち込んで設置態様等に応じて樋形状に加工して形成する方法も採られており、従来においても、そのような雨樋用のシート材に関する技術が提案されている（例えば、特許文献１を参照）。
【０００３】
このように、シート材を使用して現場で雨樋を形成すれば、輸送スペースや保管スペースを縮小できるし、特に種々の雨樋に対応した汎用のシート材を用いれば、施工現場で、設置対象となる建築物や設置環境に応じて所望の形状、寸法のものを形成することができ、さらに利便性は高い。
【０００４】
本出願人も、輸送スペースや保管スペースを考慮して雨樋用のシート材を種々試行しており、特に、雨樋の内底面に複数の突条体を雨樋の長手方向に沿って形成するようにして、雨水の整流作用を起こさせるような雨樋用のシート材についても試行している。
【先行技術文献】
【特許文献】
【０００５】
【特許文献１】実開平５−５８２０４号公報
【発明の概要】
【発明が解決しようとする課題】
【０００６】
ところで、このようなシート材を加工してなる雨樋も、一般の雨樋と同様、樋支持具等の雨樋取付具を介して軒先等に取付固定する必要があるが、従来では、そのような雨樋の特性を生かした雨樋の取付構造および雨樋取付具については、試行も提案もされていなかった。
【０００７】
なお、軒樋用の吊式タイプの雨樋取付具として、通例では、軒樋の前壁の上端と後壁の上端に形成された係止部を、雨樋取付具の被係止部で引っ掛けるように係止、連結して雨樋を吊り支持するものが使用されているが、この種の雨樋取付具を、シート材を加工してなる軒樋に使用する場合には、現場において、軒樋側に、その雨樋取付具の被係止部に合致した係止部をシート材あるいは他の部材で形成しなければならず、現場の作業を迅速に行えなくなるおそれがある。
【０００８】
つまり、シート材よりなる雨樋を従来の雨樋取付具で取り付ける場合の最も大きな問題は、それらの連結構造にあった。
【０００９】
また、上記のようにシート面に突条体を形成させたシート材を試行している出願人としては、そのような特徴的なシート面を利用することで雨樋取付具との連結ができやすくなるようなシート面の付加価値を見出したいという意向もある。
【００１０】
本発明は、このような事情を考慮して提案されたもので、その目的は、雨樋を所定のシート材で形成した場合に、その雨樋の取付作業を簡単、迅速に行える利便性の高い雨樋の取付構造および雨樋取付具を提供することにある。また、特定のシート面の特性を生かした雨樋取付具を提供することも本発明の目的に含まれる。
【課題を解決するための手段】
【００１１】
上記目的を達成するために、請求項１に記載の雨樋の取付構造は、シート材を樋形状に曲成加工してなる雨樋を、雨樋取付具を用いて壁、軒先等に固定するようにした雨樋の取付構造であって、雨樋は、シート材のすくなくとも片面側に、複数の係着部が間隔をあけて雨樋の長手方向に沿って並設されて雨樋取付具との連結面を形成した構造とされるとともに、雨樋取付具は、雨樋の連結面側に突出された係着部と相互に係着する被係着部を備えた構造としたことを特徴とする。
【００１２】
請求項２では、雨樋の上記連結面を形成していない面に、連結面の複数の係着部に対応して複数の突条部が形成されている。
【００１３】
請求項３では、係着部と突条部とは、それらが一体化された棒状体よりなり、シート材は、複数の棒状体が間隔をあけて雨樋の長手方向に並設され、屈曲可能なシート基材を介して連結、一体化されて形成された構造としている。
【００１４】
請求項４では、シート材は、係着部および上記突条部の一方が、シート材同士を重合連結するための係止部を構成し、他方が該係止部と相互に係止される係止受部を構成した構造としている。
【００１５】
請求項５に記載の雨樋取付具は、請求項１〜４のいずれかに記載されたものである。
【発明の効果】
【００１６】
本発明によれば、複数の係着部が間隔をあけて雨樋の長手方向に沿って並設されたシート材で雨樋取付具との連結面を形成した雨樋を、その係着部と相互に係着する被係着部を備えた雨樋取付具で固定できる、相互に係着構造の合致した取付構造となっているため、施工現場で雨樋の取付作業が簡単、迅速に行える。また、シート材のシート面の特徴を生かした構造であるため、雨樋と雨樋取付具とを包括的に設計できる。
【００１７】
さらに、他の本発明によれば、雨樋の連結面を形成していない面に係着部に対応した突条部を形成しているため、そのような突条部を形成した面を雨樋の外面に割り当てることで、意匠的効果を奏させることができる。一方、突条部を形成した面を雨樋の内面に割り当てたものでは、その突条部により雨水の整流効果を期待できる。
【００１８】
また、さらに他の本発明によれば、係着部と突条部とを一体化した複数の棒状体が間隔をあけて雨樋の長手方向に並設され、屈曲可能なシート基材を介して連結、一体化されて形成されたシート材の特徴的な構造を生かした雨樋の取付構造とすることができ、その結果、雨樋用のシート材と雨樋取付具とを包括的に設計することができる。
【００１９】
さらに他の発明によれば、シート材の特徴である、シート材の係止部と係止受部の相互係止構造を生かした雨樋の取付構造とすることができる。
【図面の簡単な説明】
【００２０】
【図１】本発明の雨樋の取付構造に使用するシート材の説明図であり、（ａ）は図２に示した雨樋の形成材料であるシート材の一例を示す縦断面図およびその一部の拡大縦断面図であり、（ｂ）は同シート材の部分斜視図である。
【図２】同シート材で形成された雨樋の縦断面図である。
【図３】本発明の雨樋の取付構造の第１実施形態を説明するための図であり、（ａ）は図２に示した雨樋と係着構造が合致する吊式タイプの雨樋取付具の平面図、（ｂ）はその雨樋と、同雨樋取付具との連結構造を示した縦断面図および一部拡大縦断面図である。
【図４】本発明の雨樋の取付構造の第２実施形態を説明するための図であり、（ａ）は図２に示した雨樋と係着構造が合致する受式タイプの雨樋取付具の平面図、（ｂ）はその雨樋と、同雨樋取付具との連結構造を示した縦断面図および一部拡大縦断面図である。
【図５】他のシート材により形成された雨樋と、その雨樋と係着構造が合致する雨樋取付具との連結構造を示した縦断面図および一部拡大縦断面図である。
【発明を実施するための形態】
【００２１】
以下に、本発明の実施の形態について、添付図面を参照しながら説明する。
【００２２】
まず、図１を参照して、本発明の雨樋の取付構造が使用される雨樋の形成材料であるシート材について説明する。なお、図１（ｂ）に示したＡ、Ｂは方向を示すもので、Ａは雨樋用のシート材の棒状体配列方向であり、Ｂは雨樋用シート材の長手方向または後述する棒状体の長手方向である。
【００２３】
このシート材１は、軒樋や竪樋を形成するための材料となるシート状の部材であり、図１に示すように、複数の長尺の棒状体１０が間隔をあけて同方向に並設され、屈曲可能なシート基材２を介して連結、一体化されており、それぞれの棒状体１０は、相互に係止可能な形状の係止部１１と係止受部１２とを、シート基材２の片面２ａ側と他の片面２ｂ側とに突出させている。
【００２４】
このシート材１では、各棒状体１０は、樹脂材料よりなり、係止部１１が略半円状の突起係止体１１ａを備え、係止受部１２が、左右対称の１組の係止受片１２ａ、１２ａを備え、この１組の係止受片１２ａ、１２ａによって他の棒状体１０の係止部１１を嵌め入れて係止できる半円状の凹溝空間１２ｄを有した突起体の構造となっており、係止部１１と係止受部１２との間には、両シート基材が突き合わされるようにして連結された接続部１３が形成されている。
【００２５】
この係止受部１２を構成する１組の係止受片１２ａ、１２ａのそれぞれの先端側には、凹溝空間１２ｄの一部を塞ぐように突出した抜け防止用の爪片１２ｂが形成され、それら爪片１２ｂ、１２ｂ間には、他の棒状体１０の係止部１１を受け入れるための開口１２ｃが形成されている。一方、係止部１１は、突起係止体１１ａとシート材１（シート基材２）の片面２ａとの間に、係止受部１２の爪片１２ｂ、１２ｂが挿入されて係止される程度のわずかな隙間による爪片係止間隙１１ｂ、１１ｂを有している（図１（ａ）の一部拡大縦断面図を参照）。
【００２６】
なお本例では、係止部１１を凸体、係止受部１２を凹体としているが、逆でもよく、また他の形状であってもよい。また本例では、両者が相互に係止できるような突起構造となっているが、相互係止構造でなくてもよく、また突起構造でなくてもよいし、一方面のみに、後述するような雨樋取付具５０（図３、図４を参照）と連結できるような係着部３１（図２〜４を参照）がすくなくとも形成されたものであればよい。
【００２７】
また、本例では、全ての棒状体１０の係止部１１を片面２ａに整列させるように配し、係止受部１２を他の片面２ｂに整列させるように配しているが、これには限定されず、図５で後述するように、同一面に係止部１１と係止受部１２とを交互に配列させたものでもよい。以下では、係止部１１を整列させた面を係止面２１といい、係止受部１２を整列させた面を被係止面２２という。
【００２８】
一方、シート基材２は屈曲可能な樹脂の薄板材料よりなり、シート材１に形成されたいずれの棒状体１０、１０間でも折り曲げが可能となっている。
【００２９】
このような雨樋用のシート材１は、棒状体１０およびシート基材２が硬質樹脂および軟質樹脂よりなるため、押出成形により硬軟同時成形にて一体成形することが望ましく、一体成形としては二色成形でもよいし、棒状体を金属としたインサート成形でもよい。もちろん、棒状体１０およびシート基材２を同一の樹脂素材により一体成形してもよい。
【００３０】
図１に示したシート材１は、所定の形状、寸法の軒樋３０を形成するための専用シート材であり、一定数の棒状体１０を一定間隔に配設したもので、そのシート材１の先尾端部１ａ、１ｂ（図１（ａ）中の左端および右端）には、係止受部１２に嵌め入れ可能な形状の端部止め片３、３がさらに設けられている。なお、この端部止め片３は、上記棒状体１０とは形状の異なる他の棒状体１０´よりなり、係止部１１と同様に係止受部１２に相互係止されるような係止部材を構成する。
【００３１】
図２は、同シート材１により形成された軒樋の例を示す縦断面図であり、被係止面２２を軒樋の内面に配した例を示している。
【００３２】
この軒樋３０は、所定の位置のシート基材２を折り曲げて製されている。また、軒樋３０の前端には、シート材１の先端部１ａが略円形状に曲成され、端部止め片３と係止受部１２とで係止固定されて十分な強度の前端芯部３０ａが形成され、一方、軒樋３０の後端には、シート材１の尾端部１ｂが略円形状に曲成され、端部止め片３と係止受部１２とで係止固定されて十分な強度の後端芯部３０ｂが形成されている。
【００３３】
なお、端部止め片３を用いずに、棒状体１０の係止部１１と他の棒状体１０の係止受部１２との係止によって、前端芯部３０ａや後端芯部３０ｂを形成するようにしてもよい。
【００３４】
また、これらの前端芯部３０ａと後端芯部３０ｂは、後述する図３、図４に示すように、雨樋取付具５０と相互係止する対象となる係止部ではないため、このような前後端の位置に強度を持たせる必要がなければ、このような芯部は形成しなくてもよい。
【００３５】
本発明の最大の特徴は、このような軒樋３０等を、図３、図４等で後述する雨樋取付具５０を使用して軒先等に取り付けるようにした雨樋の取付構造にあり、すなわち、本発明は、雨樋と雨樋取付具の連結構造に特徴を有したものである。
【００３６】
図２に示した軒樋３０は、その雨樋取付具５０を介して軒先等に取付固定されるもので、軒樋３０の内面３３または外面３４が、雨樋取付具５０との連結面Ｆとして構成されている。すなわち、この連結面Ｆに形成された係止受部１２（内面３３が連結面Ｆである場合）または係止部１１（外面３４が連結面Ｆである場合）が、雨樋取付具５０の被係着部５１（図３、図４を参照）と係着して連結するための係着部３１を構成する。また、シート材１の片面２ａに係止部１１が、他の片面２ｂに係止受部１２が形成されているから、軒樋３０の連結面Ｆを形成していない面にも、係止受部１２、係止部１１のいずれかよりなる突条部３２が表れる。
【００３７】
図３および図４は、上記軒樋３０を軒先等に取付固定するための雨樋の取付構造の２つの実施形態を示したもので、図３は軒樋３０の内面３３を連結面Ｆとして、それに対応した雨樋取付具５０と連結させるようにした第１実施形態であり、図４は軒樋３０の外面３４を連結面Ｆとして、それに対応した雨樋取付具５０と連結させるようにした第２実施形態である。換言すれば、図３は吊式タイプの雨樋取付具５０に対応した連結構造を示しており、図４は受式タイプの雨樋取付具５０に対応した連結構造を示している。
【００３８】
図３に示した雨樋取付具５０は、樹脂、金属等より製されており、軒先等へ固定するための固定部５３と、軒樋３０と連結するための本体部５１と、軒樋３０を軒先の前方で吊り支持するために本体部５１の上端に連結された取付杆５２とを備えた構造となっている。
【００３９】
図３（ａ）に示すように、固定部５３は壁等への取付面５３ａを有した板状体で形成され、取付杆５２は、その固定部５３の上端中央より軒樋３０の前後方向の略中央まで延びた棒状板体よりなる。また、本体部５１は、この取付杆５２に連結され、軒樋３０の前壁部３５、内底面３３ａ、後壁部３６に延びた脚部５１ａと、それらの端部に形成され、軒樋３０の長手方向に寸法を大きくして脚部５１ａよりも幅広とした連結部５１ｂとよりなる。このような雨樋取付具５０は、樹脂、金属等で一体成形することが望ましい。
【００４０】
この本体部５１の連結部５１ｂの端面である、軒樋３０の内面３３（連結面Ｆ）を向いた面には、その連結面Ｆに形成された係着部３１（係止受部１２）と相互に係着する被係着部５５を備えている。この被係着部５５は、軒樋３０の連結面Ｆに形成された係着部３１の形状に対応して、突条の基部５５ａの先端に断面略半円状の係着体５５ｂを有した突起体構造となっており、その係着体５５ｂは軒樋３０の係着部３１（係止受部１２）の凹溝空間１２ｄ（図１を参照）に嵌め入れ可能な形状となっている。
【００４１】
この突起体よりなる被係着部５５は、軒樋３０を強固に連結すべき箇所である、軒樋３０の前壁部３５の上端部分、前壁部３５と底部との境界折曲部の前後部分、底部と後壁部３６との境界折曲部の前後部分および後壁部３６の上端部分に形成されている。また、図３の例では、雨水が滞留することなく効率よく流れるようにするために、軒樋３０の内底面３３ａの中央には脚部５１ａ、連結部５１ｂおよびそれに付随される被係着部５５を設けず、空間を大きく空けているが、全体にわたって被係着部５５を形成してよい。またさらに、雨水の流れをよくするために、被係着部５５の基部５５ａを高くした雨樋取付具で雨樋を連結するようにしてもよい。
【００４２】
なお、本実施形態では、軒樋３０の内面３３に形成された係止受部１２と、外面３４に形成された係止部１１とが相互係止関係にあるから、雨樋取付具５０の連結部５１ｂに形成された被係着部５５の先端の係着体５５ｂは、係止部１１と同様の断面形状となっている。
【００４３】
本実施形態では、このように、雨樋取付具５０が軒樋３０の内面３３に係着、連結する構造となっており、さらに図３（ｂ）に示すように、その連結部５１ｂを含む本体部５１の全体が軒樋３０に内包されるようにして軒樋３０を連結支持する構造となっている。
【００４４】
このように、雨樋取付具５０は軒樋３０に内包されるため、本体部５１が軒樋３０の前方からは見えず、しかも、従来のように軒樋の前壁上端や後壁上端で相互係止する構造ではなく、係止部の代わりとなる連結部５１ｂと軒樋３０の連結面Ｆとの連結部分が露出されないため、見映えはきわめてよくなる。
【００４５】
このように、連結部分が隠れる構造であるため、雨樋取付具５０の本体部５１の形状については、その意匠性を考慮する必要はなく、連結を強固にする点や材料コストを考慮した形状とすればよい。例えば、本体部５１の連結部５１ｂの雨樋長手方向寸法を大きくして連結部分を拡げることで、軒樋３０との連結を強固にしてもよい。
【００４６】
一方、図４に示した雨樋取付具５０は、図２に示した軒樋３０を下方より支持するようにした受式タイプのものであり、円柱状の棒状体を折曲加工してなり、垂木（不図示）に打ち込んで固定可能な尖端部５３ａを有した固定部５３と、長板体を折曲してなる本体部５１とを備えた構造となっている。
【００４７】
この本体部５１の連結部５１ｂの端面である、軒樋３０の外面３４（連結面Ｆ）を向いた面には、その連結面Ｆに形成された係着部３１（係止部１１）と相互に係着する被係着部５５を備えている。この被係着部５５は、軒樋３０の連結面Ｆに形成された係着部３１の形状に対応して、凹溝体構造となっており、その凹溝体５５ｃは軒樋３０の係着部３１（係止部１１）の突起係止体１１ａ（図１を参照）を嵌め入れることが可能な形状となっている。
【００４８】
なお、図４の例では、被係着部５５が軒樋３０の係着部３１の全てに対応して設けられてはおらず、選択的に設けられているが、その配設部位は限定されない。また、受式タイプの雨樋取付具５０は軒樋３０に内包させるものではないため、雨水の流れが妨げられるおそれは全くなく、雨水の流れを考慮する必要がないため、本体部５１の長手方向の全体にわたって被係着部５５を形成した雨樋取付具で連結してもよい。
【００４９】
また、本実施形態では、軒樋３０の内面３３に形成された係止受部１２と、外面３４に形成された係止部１１とが相互係止関係にあるから、雨樋取付具５０の本体部５１に形成された被係着部５５を構成する凹溝体５５ｃは、係止部１１と同様の形状となっている。なお、図４の例のような突起状の凹溝体５５ｃとはせずに、掘り込んで形成された凹溝であってもよい。
【００５０】
本実施形態では、このように、雨樋取付具５０が軒樋３０の外面３４に形成された係着部３１と係着、連結する構造となっているため、被係着部５５を構成する凹溝体５５ｃの高さを種々変えることで、雨樋取付具５０の本体部５１を軒樋３０の外面形状とは異なる形状にすることもでき、デザイン上の制約がなくなる。例えば、図２のような断面角形の軒樋に対して、雨樋取付具を半円状にすることもできる。
【００５１】
図５は、他のシート材により形成された軒樋３０と、その軒樋３０と係着構造が合致する雨樋取付具５０との連結構造を示した縦断面図である。
【００５２】
この軒樋３０を構成するシート材１は、シート基材２の片面２ａおよび他の片面２ｂのそれぞれには、係止部１１と係止受部１２とが交互に表れるように棒状体１０が配設されている。つまり、この雨樋用のシート材１は表裏の区別がない。
【００５３】
このように、表裏の区別がなく、片面２ａ側および他の片面２ｂ側のそれぞれに係止部１１と係止受部１２とが交互に形成されているので、表面（片面２ａ）同士または裏面（他の片面２ｂ）同士の重ね合わせができ、図５の例のように、軒樋３０の前壁部３５を、シート材１を折り返した状態で重合して補強することができる。
【００５４】
図５に示した雨樋の取付構造は、このようなシート材１で形成した軒樋３０に対して、図３に示した雨樋取付具５０とほぼ同様の構造のものによって連結できるようにしたものである。
【００５５】
すなわち、この雨樋取付具５０は、固定部５３と、取付杆５２と、脚部５１ａおよび連結部５１ｂを有した本体部５１とよりなり、その連結部５１ｂには、突条の基部５５ａの先端に断面略半円状の係着体５５ｂを有した突起体よりなる被係着部５５が形成されている。この被係着部５５は、軒樋３０の連結面Ｆである内面３３に交互に表れる係着部３１（係止受部１２）に対して相互係着するものである。なお、図３と同一の他の構造については同一の符号を付して、その説明を省略する。
【００５６】
このように、この連結構造は、この種のシート材１よりなり、そのシート材構造によって一部を補強した軒樋３０にも対応できる。例えば、前壁部３５を、シート材１を折り返し重合して積層構造に形成した場合でも、その内面３３には、雨樋取付具５０の被係着部５５に対応した係着部３１（係止受部１２）が表れるので、内面３３の多層にした部分でも、必ず相互係着できる。
【００５７】
また、以上に示した図例では、軒樋３０の内底面３３ａに、図３のものでは、連結面Ｆを構成する係着部３１（係止受部１２）よりなる複数の突条が形成され、図４のものでは、突条部３２（係止受部１２）よりなる複数の突条が形成され、図５のものでは、係着部３１（係止受部１２）と係止部１１よりなる複数の突条が形成されているので、整流作用を発揮できる。
【００５８】
以上の第１、第２実施形態では、軒樋３０と雨樋取付具５０との連結構造を示したが、竪樋と雨樋取付具との連結構造についても同様に、係着部と被係着部とによる相互係着で連結できることはいうまでもない。竪樋の場合、雨樋取付具は、竪樋の外面と連結するものであるため、図４に示した軒樋の実施形態と同様に、雨樋取付具のデザイン上の制約がなくなるという効果が期待できる。
【符号の説明】
【００５９】
３０      軒樋（雨樋）
Ｆ      連結面
３１      係着部
３２      突条部
３３      内面
３３ａ      内底面
３４      外面
５０      雨樋取付具
５１      本体部
５５      被係着部
１      シート材
２      シート基材
１０      棒状体
１１      係止部
１２      係止受部
【図１】
2010174472.tif 000003
【図２】
2010174472.tif 000004
【図３】
2010174472.tif 000005
【図４】
2010174472.tif 000006
【図５】
2010174472.tif 000007